(57)【特許請求の範囲】
【請求項１】
転写紙が載置される底板と、前記転写紙の側辺に沿って配置されるサイドフェンスと、前記底板上に載置された前記転写紙を上部から押える回動支点を中心に回動自在な転写紙押え部材とを備えた給紙装置において、前記転写紙押え部材に前記転写紙を押えるための互いに角度の異なる複数の平坦な押え面を有する押圧部を設け、前記底板の傾斜角度に応じてその傾斜する底板の面と平行となる状態が複数回生じるように前記押圧部の各押え面の傾斜角度を設定したことを特徴とする転写紙押え機構。
【発明の詳細な説明】
【０００１】
【産業上の利用分野】
本発明は、複写機、プリンタ等の給紙装置に用いられる転写紙押え機構に関する。
【０００２】
【従来の技術】
図５は、給紙トレイの概略構成（第一の従来例）を示すものである。給紙トレイ１内には、転写紙（図示せず）の載置される底板２と、転写紙の両側の側辺に沿って配置されるサイドフェンス３と、転写紙の上面からの押えを行う転写紙押え部材４とが設けられている。この場合、組付け方法としては、底板２の両側に形成された穴２ａとサイドフェンス３に形成された穴３ａとを合わせて固定具５（リベット等）を通して給紙トレイ１の側板１ａの穴１ｂに挿入することによって、底板２は穴２ａに挿入された固定具５の部分を回動支点として上下方向に回動する。
【０００３】
この場合、転写紙の両サイド（側辺）部分にカールが発生していると、給紙中のジャム発生の原因となるため、サイドフェンス３には転写紙押え機構が設けられている。具体的には、転写紙押え部材４はその一端側に設けられた穴４ａを介して固定具６（ピン等）によりサイドフェンス３の穴３ｂに回動自在に止められ、他端側に設けられた押え爪４ｂの平坦な面により転写紙に発生するカールを押えるような機構となっている。
【０００４】
また、図６は、転写紙カール押え機構の他の例（第二の従来例）を示すものである。給紙装置７側の中央部には、ピックアップローラ８ａ、フィードローラ８ｂ、リバースローラ８ｃが設けられている。この場合、転写紙９の両サイドのカールをなくすために、給紙装置７側からは押え棒１０が突き出た形で設けられている。この押え棒１０は前述したような押え爪４ｂに代わるものであり、この場合にも転写紙９のカールをなくして給紙中でのジャム発生を防いでいる。
【０００５】
【発明が解決しようとする課題】
上述したように、転写紙カール押え機構としては、転写紙押え部材４の押え爪４ｂや押え棒１０を用いたものがある。この場合、押え棒１０は、転写紙９の積載量が増加（例えば、５００枚からなる満載時）した底板２の傾斜角度が変わったような場合においても、転写紙押えを十分に行うことができる。しかし、押え棒１０は円筒状で接触面積が少ないため、転写紙９のカールを押えることに関しては劣っており、特に、このような現象は転写紙９の積載量が増加するほど顕著に現われる。
【０００６】
一方、押え棒１０の代わりに押え爪４ｂを採用することにより、転写紙９の積載量が増加したような場合においても押え爪４ｂの平坦な面を転写紙９に押接することによりカール押えを行うことは可能であるが、しかし、底板２の傾斜角度が変わることによって転写紙９を十分に押えることができないという問題がある。しかも、このような現象は、転写紙９の積載量が増加するほど顕著に現われる。
【０００７ 】
【課題を解決するための手段】
本発明は、転写紙を載置する底板と、前記転写紙の側辺に沿って配置されるサイドフェンスと、前記底板上に載置された前記転写紙を上部から押える回動支点を中心に回動自在な転写紙押え部材とを備えた給紙装置において、前記転写紙押え部材に前記転写紙を押えるための互いに角度の異なる複数の平坦な押え面を有する押圧部を設け、前記底板の傾斜角度に応じてその傾斜する底板の面と平行となる状態が複数回生じるように前記押圧部の各押え面の傾斜角度を設定したことにより転写紙押え機構を構成した。
【０００８】
【作用】
本発明においては、底板の傾斜角度が変化しても、底板の面と押圧部の複数の押え面のうちの一つの面とは平行若しくは平行に近い状態に保たれ、その平行若しくは平行に近い状態にある押え面によって転写紙面を押えつけることにより、転写紙の積載量が増減して底板の傾斜角度が変わっても給紙中に転写紙の給紙ズレが生じるようなことがなくなり、これにより、カール押えを行えると共に、給紙時におけるジャムの発生を防止することが可能となる。
【０００９】
【実施例】
本発明の第一の実施例を図１〜図３に基づいて説明する。なお、従来技術（図５、図６参照）と同一部分についての説明は省略し、その同一部分については同一符号を用いる。
【００１０】
図２（ａ）は給紙トレイ１１を側面から見たものであり、給紙トレイ１１のトレイ底面１１ａ上には、中央部に切欠き部ａの形成されたサイドフェンス１２が両サイドに設けられている。このサイドフェンス１２の間には、一端に回動支点Ｐを有する底板１３が配置されている。この底板１３は、切欠部ａを介して回動支点Ｐにてトレイ側板１１ｂに回動自在に取付けられている。また、サイドフェンス１２には、転写紙押え部材１４が回動支点Ｑを中心にして回動自在に取付けられている。本実施例では、このような給紙トレイ１１を備えた給紙装置（図示せず）において、図１に示すように、転写紙押え部材１４に、転写紙９を押えるための互いに角度の異なる複数（ここでは、２片）の押え面としての押え爪１５ａ，１５ｂを有する押圧部１５を設けた。この場合、図２（ｂ）に示すように、底板１３の傾斜角度に応じてその傾斜する底板１３の面と平行な状態となるように、２片の押え爪１５ａ，１５ｂの傾斜角度がそれぞれ設定されている。ここでは、押え爪１５ｂの傾斜角度は、給紙セット前の底板１３の面に対してα°（例えば、５００枚の満載時の底板１３の傾斜角度に等しい）に設定されている。また、押え爪１５ａの面は、給紙セット前の底板１３の面と平行とする。
【００１１】
このような構成において、図２（ａ）は、転写紙９を満載した状態で給紙トレイ１１を給紙装置にセットする前の様子を示すものである。このような転写紙９を満載した給紙トレイ１１の底板１３を上方に移動させることにより、転写紙押え部材１４も回動支点Ｑを中心にして押圧部１５側が回動（反時計の上方方向）していき、最終的な給紙可能な状態にセットされる。図３は、その給紙トレイ１１が給紙装置内で給紙可能な状態にセットされた時の様子を示すものである。この給紙セットされた満載時において、転写紙９の最上面にはピックアップローラ（図示せず）が接し給紙位置の高さが一定に保たれており、転写紙押え部材１４のα°の傾斜をなす押え爪１５ｂの平坦な面が底板１３の面と平行な状態となっており、その押え爪１５ｂが最上層の転写紙９の面を十分大きな力（底板１３がセットされ傾斜した状態でも転写紙ズレが生じない程度の力）で下方に押えつける。なお、この時に、底板１３は押え爪１５ｂの面方向に押し上げた形となる。これにより、転写紙９が満載の状態から順次給紙されていきその枚数が減っていくことにより、転写紙９と接する面は押え爪１５ｂから押え爪１５ａへと変わっていき、今度はその押え爪１５ａの面と転写紙９の面とが平行な状態に保たれるため、これにより転写紙ズレが生じてジャムが発生するようなことがなくなる。
【００１２】
上述したように、転写紙９が満載時から給紙され順次減少していくに従って、底板１３の面と転写紙押え部材１４の押え面（ここでは、押え爪１５ｂ→押え爪１５ａ）とをほぼ平行な状態に保つことができるため、転写紙９の積載量が満載時から減少して底板１３の傾斜角度が変わっても転写紙押えの機能を常に十分に発揮することができ、しかも、このような転写紙押え部材１４は転写紙９のカール押えの機能（従来技術でも述べた）も備えていることから、給紙中にジャムが発生するといった問題がなくなり、これにより常に正常な給紙動作を行わせることが可能な転写紙押え機構を得ることができる。
【００１３】
次に、本発明の第二の実施例を図４に基づいて説明する。なお、前述した第一の実施例と同一部分についての説明は省略し、その同一部分については同一符号を用いる。
【００１４】
前述した第一の実施例のような２片の押え爪１５ａ，１５ｂからなる押圧部１５では、転写紙９の積載量が極端に少なくなってくると、その平坦な押え面と底板１３とが平行な状態にならないため押えの効果が減少する。そこで、このような点を考慮して、本実施例では、図４（ａ）に示すように、押圧部１５の曲げの部分を増加させたものである。具体的には、転写紙押え部材１４の押圧部１５の押圧面を、押え爪１５ｃ，１５ｄ，１５ｅの３片から形成した。この場合、例えば、押え爪１５ｅを満載時（５００枚程度）の傾斜角度に設定し、押え爪１５ｄを３００枚程度の傾斜角度に設定し、押え爪１５ｃを１００枚程度の傾斜角度に設定する。
【００１５】
このような構成において、転写紙９の積載量が少ない場合における転写紙押え部材１４の動作について述べる。図４（ｂ）は、積載量が少ない転写紙９をもつ給紙トレイ１１を給紙装置内にセットして、底板１３を上昇させていき、給紙可能な状態にセットした時の様子を示すものである。この満載時では、３段目の押え爪１５ｅの面が底板１３の面と平行状態となるため、その押え爪１５ｅが転写紙９を上部からしっかりと押えつける。また、転写紙９が減少していき３００枚前後になると押え爪１５ｄが押えつけ、さらに転写紙９が減少していき１００枚前後になると押え爪１５ｃが押えつける。従って、このようなことから、転写紙９の積載量が減少していくような場合においても、転写紙押えの機能を十分に発揮することができるため、給紙中にジャムが発生するといった問題をなくすことができ、これにより、押圧部の押え爪の数を増やすほど一段と正常な給紙動作を行わせることが可能な転写紙押え機構を得ることができる。
【００１６】
【発明の効果】
本発明は、転写紙を載置する底板と、前記転写紙の側辺に沿って配置されるサイドフェンスと、前記底板上に載置された前記転写紙を上部から押える回動支点を中心に回動自在な転写紙押え部材とを備えた給紙装置において、前記転写紙押え部材に前記転写紙を押えるための互いに角度の異なる複数の押え面を有する押圧部を設け、前記底板の傾斜角度に応じてその傾斜する底板の面と平行となる状態が複数回生じるように前記押圧部の各押え面の傾斜角度を設定したので、底板の傾斜角度が変化するに伴って、その底板の面と平行若しくは平行に近い状態にある押え面によって転写紙を押えつけることができ、これにより、転写紙のカール押えのみならず、給紙時に転写紙積載量が増減して底板の傾斜角度が変わってもジャムが発生するようなことがなくなり、一段と正常な給紙動作を行わせることが可能な転写紙押え機構を提供することができる。
【図面の簡単な説明】
【図１】本発明の第一の実施例である転写紙押え機構を示す斜視図である。
【図２】（ａ）は転写紙が満載時における給紙トレイ内での転写紙押えの様子を示す縦断側面図、（ｂ）は転写紙押え部材の形状を示す正面図である。
【図３】給紙トレイを給紙可能な状態にセットした時の様子を示す縦断側面図である。
【図４】本発明の第二の実施例を示すものであり、（ａ）は転写紙の積載量が少ない時において給紙トレイを給紙可能な状態にセットした時の様子を示す縦断側面図、（ｂ）はその転写紙押え部材の押え部での押えの様子を示す正面図である。
【図５】第一の従来例を示す分解斜視図である。
【図６】第二の従来例を示す斜視図である。
【符号の説明】
９                  転写紙
１１                給紙トレイ
１２                サイドフェンス
１３                底板
１４                転写紙押え部材
１５                押圧部
１５ａ〜１５ｆ      押え面
【図１】
0003716256.tif 000002
【図２】
0003716256.tif 000003
【図３】
0003716256.tif 000004
【図４】
0003716256.tif 000005
【図５】
0003716256.tif 000006
【図６】
0003716256.tif 000007